(57)【要約】      （修正有）【課題】レジ袋に代わる持参式の買物袋の中を、用途に応じ簡単に上下２つのスペースに仕切ることができ、各商品を袋内で区分けして収納できる買物袋を提供する。【解決手段】有底の四角形筒体状の袋体１を基本構造とする買物袋において、その一内側面２に、板状の仕切り板５の一基端辺を取り付け、当該仕切り板５は、前記基端辺を基軸として上下方向に回動自在であり、前記仕切り板５の水平配置状態で、その仕切り板５の下側に下方収納スペースＳと、仕切り板５の上側に上方収納スペースＴとの分離された異なる収納スペースが形成自在である。【選択図】図１
0003131446.tif 000002
【実用新案登録請求の範囲】
【請求項１】
有底の四角形筒体状の袋体を基本構造とする買物袋において、その一内側面に、板状の仕切り板の一基端辺が取り付けられ、当該仕切り板は、前記基端辺を基軸として上下方向に回動自在であり、前記仕切り板の水平配置状態で、その仕切り板の下側に下方収納スペースと、仕切り板の上側に上方収納スペースとの分離された異なる収納スペースが形成自在に構成されていることを特徴とする買物袋。
【請求項２】
仕切り板は、袋体の横断面形状と同形で且つ若干小さく形成され、その一基端辺が、前記袋体の一内側面の略中間レベル位置に取り付けられていることを特徴とする、請求項１に記載した買物袋。
【請求項３】
仕切り板は、２分割された小板体の組み合せで成り前記小板体同士の接続部で折曲可能であると共に、袋体を形成する底の内側面上に前記仕切り板と略同形・同大の当て底板が設置され、その当て底板も２分割された小板体の組み合せで成り前記小板体同士の接続部で折曲可能であることを特徴とする、請求項１又は２に記載した買物袋。
【請求項４】
袋体の外側面に、光に対して反射する反射部が所望形状にて設けられていることを特徴とする、請求項１〜３のいずれか１項に記載した買物袋。
【請求項５】
面ファスナーが、仕切り板の一基端辺と反対側の回動端辺寄りの表裏面及び袋体の内側面の上部にそれぞれ設けられており、所望の前記面ファスナー同士が着脱自在に構成されていることを特徴とする、請求項１〜４のいずれか１項に記載した買物袋。
【考案の詳細な説明】
【技術分野】
【０００１】
本考案は、スーパーマーケット等で配布される所謂レジ袋に代わるもので、スーパーマーケットや各種商店等での買物時に自ら持参し、購入した商品を入れる買物袋の技術分野に関する。
【背景技術】
【０００２】
従来、スーパーマーケットでは、レジの清算後、買物客に対し、スーパー側で予め用意したポリエチレン製等の買物袋（以下、レジ袋という）を配布し、買物客が前記レジ袋に買った物を入れて持ち帰るのが一般であった。
【０００３】
原油を原料とした前記ポリエチレン製のレジ袋は、１９７０年代に登場し、軽くて丈夫なことから、長い間買物かごに代って使用されてきている。しかし、近年では、このレジ袋は大量生産されて無料で配布され再利用も少ないため、自然環境やリサイクル等の観点から当該レジ袋を有料化したり廃止する動きが高まってきている。
【０００４】
そこで、前記従来のレジ袋に代わる買物袋として、例えば、実開平５−７６３１８号公開公報に開示された買物袋がある。すなわち、同公報には、上部に開口部と手提部分をもつ可撓性素材よりなる袋部と、前記開口部の外周上縁に取り付けられ、開口部外周の長さより小径に形状記憶した超弾性合金製の枠体と、からなる買物袋が記載されている。
【特許文献１】実開平５−７６３１８号公開公報
【考案の開示】
【考案が解決しようとする課題】
【０００５】
前記実開平５−７６３１８号公開公報に開示された買物袋は、環境汚染の一因となっている従来のポリエチレン製等のレジ袋が不要で環境上によく、レジ袋の製造コスト削減が図られ、持ち運びが容易で機能上優れている上、繰り返しの使用に耐えうる利点を有している。
【０００６】
しかし、買った商品を当該買物袋に収納する際、開口部から挿入された商品は、当該買物袋の内部で区分けして収納することはできない。そのため、硬いものと柔らかいものの区別や、重いものと軽いものの区別、鮮魚等の生物で鮮度を保つ必要があるものとそうでないものの区別など、買物袋の中で必要に応じ、少なくとも２つのスペース（空間）に簡便に仕切って各商品を区分けして収納できる買物袋の構造となっていない。
【０００７】
したがって、本考案が解決しようとする課題は、用途・必要に応じて、レジ袋に代わる持参式の買物袋の中を、簡単に上下２つのスペースに仕切ることができ、各商品を袋内で区分けして収納できて使い勝手がよく利便性に優れる上、製造コストの低廉化も図った買物袋を提供することにある。
【課題を解決するための手段】
【０００８】
上記課題を解決するための手段として、請求項１記載の考案は、有底の四角形筒体状の袋体１を基本構造とする買物袋において、その一内側面２に、板状の仕切り板５の一基端辺５ｄを取り付け、当該仕切り板５は、前記基端辺５ｄを基軸として上下方向に回動自在であり、前記仕切り板５の水平配置状態で、その仕切り板５の下側に下方収納スペースＳと、仕切り板５の上側に上方収納スペースＴとの分離された異なる収納スペースを形成自在に構成したことを特徴とする。
【０００９】
請求項２記載の考案に係る買物袋は、前記仕切り板５を、袋体１の横断面形状と同形で且つ若干小さく形成し、その一基端辺５ｄを、前記袋体１の一内側面２の略中間レベル位置に取り付けたことを特徴とする。
【００１０】
請求項３記載の考案に係る買物袋は、前記仕切り板５につき、２分割された小板体５ａ、５ａの組み合せで成り前記小板体５ａ、５ａ同士の接続部５ｃで折曲可能であると共に、袋体１を形成する底８の内側面２上に前記仕切り板５ａ、５ａと略同形・同大の当て底板６を設置し、その当て底板６も２分割された小板体６ａ、６ａの組み合せで成り前記小板体６ａ、６ａ同士の接続部６ｃで折曲可能であることを特徴とする。
【００１１】
請求項４記載の考案に係る買物袋は、前記袋体１の外側面３に、光に対して反射する反射部９を所望形状にて設けたことを特徴とする。
【００１２】
請求項５記載の考案に係る買物袋は、前記各考案において、面ファスナー７ａ、７ｂ、７ｃ、７ｄを、仕切り板５の一基端辺５ｄと反対側の回動端辺５ｅ寄りの表裏面５ｆ、５ｇ、及び袋体１の内側面２の上部にそれぞれ設け、所望の前記面ファスナー７ａ、７ｂ、７ｃ、７ｄ同士を着脱自在に構成したことを特徴とする。
【考案の効果】
【００１３】
請求項１記載の本考案に関する買物袋は、袋体の一内側面に板状の仕切り板の一基端辺が取り付けられ、当該仕切り板は、基端辺を基軸として上下方向に回動自在で、仕切り板の水平配置状態で、下側に下方収納スペースと、上側に上方収納スペースとの分離された異なる収納スペースが形成自在であるので、前記仕切り板を上方に回動させた状態で、まず最初に嵩張って硬くて重い商品を当該袋体の下方収納スペースに入れる。袋体の中程まで商品が埋ってきたら、前記仕切り板を下方に回動させ、最初に収納した商品の上面に当接させる。かくして、仕切り板で仕切られた上方収納スペースに、柔らかくて軽い商品や、鮮魚等の生物で鮮度を保つ必要がある商品などを収納することができ、同一の買物袋内で商品の種類に応じ簡単に区分けしてそのまま持ち運べる利便性に優れている。
【００１４】
また、この買物袋は、袋体全体をポリエステル等で簡単に製作できて耐用性がある上、仕切り板の製作コストの低廉化及び製作の容易化も図った。
【００１５】
請求項２記載の本考案に関する買物袋は、仕切り板が袋体の横断面形状と同形で且つ若干小さく形成され、前記袋体の一内側面の略中間レベル位置に取り付けられているので、袋体の中で当該仕切り板を上下方向に楽に動かすことができ、当該仕切り体の使用時と不使用時におけるセッティングと収納を楽に行うことができて扱い易い。
【００１６】
請求項３記載の本考案に関する買物袋は、仕切り板と当て底板が略同形・同大で、それぞれ２分割された小板体の組み合せで成るので、当該買物袋の不使用時や携行時に、隣り合う小板体同士の接続部の部位で折り曲げて小さくコンパクト化できて便利である。
【００１７】
請求項４記載の本考案に関する買物袋は、袋体の外側面に、光に対して反射する反射部が所望形状にて設けられているから、夜間において、当該買物袋を持ちながらの歩行中や、自転車のかごに買物袋を入れての走行中に、自動車やバイクのライトや街灯等が放つ光が前記袋体の反射部を照射すると反射して相手に注意を喚起するので、買物時の安全性の確保にも寄与する。
【００１８】
請求項５記載の本考案に関する買物袋は、面ファスナーが、仕切り板の回動端辺寄りの表裏面及び袋体の内側面の上部にそれぞれ設けられているので、仕切り板の表面の面ファスナーを袋体の上部内側面の面ファスナーに付着させることにより仕切り板が邪魔にならず、仕切り板の使用時にも楽に離脱できる。
【００１９】
さらに、仕切り板の表面の面ファスナーが袋体の上部内側面の面ファスナーに付着した状態で、当該仕切り板の裏面の面ファスナーを、残る袋体の上部内側面の面ファスナーに付着させて袋体の開口上部を閉じることができ、内部商品の衛生上好ましい。しかも、かかる閉じ状態で、仕切り板と当て底板の各隣り合う小板体同士の接続部の部位で折り曲げて、上記の通りコンパクト化するのに手間がかからない利点も併有している。
【考案を実施するための最良の形態】
【００２０】
請求項１〜５に係る買物袋は、スーパーマーケットやコンビニエンスストアその他の各種商店で配布される所謂レジ袋に代わって、買物した商品を収納して持ち帰り、繰り返し使用するもので、予め利用者（買物客）が自分で有料又は無料にて用意する。或いは、例えば前記スーパーマーケット等の各種商店から顧客サービスの一環として配布されて利用に供することも可能である。以下、買物袋として好適な実施形態につき、図面に従いながら説明する。
【００２１】
本実施形態の買物袋の内部を示した全体構造を図１に示した。
【００２２】
この買物袋は、ポリエステル製で四角形筒体状の袋体１を基本構造としている。袋体１を形成する前方側面部１１（図１中、右側部分）と後方側面部１２は、それぞれ高さ×幅寸が３４５×３０５ｍｍ、右方側面部１３と左方側面部１４は、それぞれ高さ×幅寸が３４５×１８０ｍｍである。よって、底８は３０５×１８０ｍｍの長方形状に形成されており、自転車の前のかごに丁度納まるサイズとなっている。袋体１の前方側面部１１と後方側面部１２の上端には、持ち手４がそれぞれ取り付けられている。
【００２３】
仕切り板５は、ポリエステル製の薄い袋として、２７５×１７５ｍｍの長方形状に形成されている。よって、前記底８を有する袋体１の横断面形状と同形で且つ若干小さく形成されている。その内部には、厚紙で成る２分割された小板体５ａ、５ａが並列配置に挿入されて板状となっている。１個の小板体５ａの大きさは１３０×１７０ｍｍで、隣接する当該小板体５ａ、５ａ同士の接続部５ｃでポリエステル製袋が縫合されており、当該接続部５ｃの部位で折り曲げ可能となっている。
【００２４】
この仕切り板５の後方の一基端辺５ｄ（図１中、左側部分）が、袋体１の後方側面部１４の内側面２の略中央レベル位置、例えば袋体１の上端から約１８０ｍｍ下がった水平位置で縫合して取り付けられている。
【００２５】
したがって、当該仕切り板５は、前記基端辺５ｄを基軸として、図１中矢印で示したように上下方向に最大１８０°の範囲内で回動自在となっており、仕切り板５の水平状態又は所望角度の傾斜状態における上下の各空間が、分離された異なる２つの収納スペースとして形成自在に構成されている。
【００２６】
そこで、袋体１の内部を異なる収納スペースに区分したいときは、当該仕切り板５を上方に回動させた状態で、大き目の硬くて重い商品を袋体１の下側の下方収納スペースＳに入れる。袋体１の中程まで商品が埋ってきたら、前記仕切り板５を下方に回動させ、下方収納スペースＳ内に収納された前記商品の上面に当接させる。そうすると、仕切り板５の上半部分が当該仕切り板５で仕切られた上方収納スペースＴに形成される。この上方収納スペースＴに、柔らかくて軽い商品や、鮮魚等の生物で鮮度を保つ必要がある商品などを収納する。
【００２７】
例えば、下方収納スペースＳ内には、一般的な１０００ｍｌの箱型の牛乳パック（又は洗濯洗剤）を２個横置きしたり、玉ネギやバナナ等の嵩張る商品を収納するのが好ましい。上方収納スペースＴには、４人家族の１食分程度の惣菜類を収納することができる。また、仕切り板５を傾斜状態とすることで、長ネギ等の長尺物も難なく袋体１に収納することが可能である。
【００２８】
なお、袋体１の底８の内側面２上に、当て底板６を設置する実施形態が好適である。すなわち、当て底板６は、前記仕切り板５ａ、５ａと略同形・同大で、やはり２分割された小板体６ａ、６ａの組み合せで成り、当該小板体６ａ、６ａ同士の接続部６ｃで折曲可能となっている。
【００２９】
また、当該買物袋にはマジックテープ（登録商標）等の面ファスナーが４箇所設けられている。面ファスナー７ａ、７ｂは、仕切り板５の基端辺５ｄと反対側の回動端辺５ｅ寄りの中央の表面５ｆ及び裏面５ｇにそれぞれ設けられている。また面ファスナー７ｃ、７ｄは、袋体１の前方側面部１１、後方側面部１２の内側面２の中央上部にそれぞれ設けられている。なお、図示例では、前方側面部１１の内側に小物入れ１０が設けられており、この小物入れ１０の内側面（２）に前記面ファスナー７ｃは設けられている。
【００３０】
よって、仕切り板５の前記表面５ｆの面ファスナー７ａを袋体１の上部面ファスナー７ｄに付着させることで、下方収納スペースＳと上方収納スペースＴを形成する必要のあるとき及び必要のないときの両場面で、仕切り板５が邪魔にならず使い易い。さらにこの状態で、仕切り板５の裏面５ｇの面ファスナー７ｂを対向する袋体１の上部面ファスナー７ｃに付着させて、袋体１の開口上部を閉じることができる（図２参照）。また、商品を一切収納しない場合の前記閉じ状態において、仕切り板５と当て底板６の各隣り合う小板体５ａ、５ａ及び６ａ、６ａ同士の接続部５ｃ及び６ｃの部位で折り曲げることにより、当該買物袋を図３に示したように小型化できて携行又は収納し易くなる。このように小型化して折り畳むと、縦×横×厚さのサイズが１８０×１５０×３５ｍｍ程に小さくなる。
【００３１】
さらに、袋体１の外側面３には、図２に示したように、光に対して反射する発光塗料が含有等され、グレー色で花びらを模した形状より成る反射部９が設けられている。図１の例では袋体１の後方側面部１２に設けられているが、反射部９の設置位置や形状、模様、大きさ、色合い等はこれに限定されない。異なる態様の反射部９により、前方側面部１１、右方側面部１３、左方側面部１４の所望箇所に設置可能である。よって、自転車のかごに当該買物袋を入れての夜間走行中に、自動車や街灯等が放つ光が当該反射部９を照射すると、反射して相手に注意を喚起するので、買物時の安全対策にもなっている。
【図面の簡単な説明】
【００３２】
【図１】買物袋を一部切欠して内部構造を示した全体斜視図である。
【００３３】
【図２】買物袋の反射部を中心に示した全体図である。
【００３４】
【図３】買物袋の最小化状態を示した正面図である。
【符号の説明】
【００３５】
Ｔ        上方収納スペース
Ｓ        下方収納スペース
１        袋体
２        内側面
３        外側面
４        持ち手
５        仕切り板
５ａ      小板体
５ｂ      小板体
５ｃ      接続部
５ｄ      基端辺
５ｅ      回動端辺
５ｆ      表面
５ｇ      裏面
６        当て底板
６ａ      小板体
６ｂ      小板体
６ｃ      接続部
７ａ      面ファスナー
８        底
９        反射部
【図１】
0003131446.tif 000003
【図２】
0003131446.tif 000004
【図３】
0003131446.tif 000005